(57)【要約】      （修正有）【課題】着け心地が向上し、カスタマイズする必要のほとんどない、または全くない補聴装置用イヤーピースを提供する。【解決手段】補聴装置用イヤーピース４は、外耳道部１４と、外耳部１６とを有する。外耳道部１４が、ユーザの外耳道内での位置決めのためにイヤーピース４の外耳道軸Ｘ＿１に沿って延在し、外耳道部１４が第１端を有するイヤーピースハウジング６と、イヤーピースハウジング６内の第１の入口を介して周囲の音を検出する第１のマイクロホンと、第２のマイクロホンと、イヤーピース４がユーザの耳内に挿入され外耳道に音声出力信号を提供するレシーバと、を備える。第１のマイクロホンは、第１の入口から第１の距離に配置される。第１の距離は、外耳道軸Ｘ＿１との間に３０°未満の第１の主角度を形成する主軸Ｘに対して平行な主平面法線を有する主平面に対して平行に測定した場合、少なくとも２ｍｍである。【選択図】図２
2019062523.tif 000002
【特許請求の範囲】
【請求項１】
補聴装置用イヤーピースであって、
外耳道部と、外耳部とを有し、前記外耳道部が、ユーザの外耳道内での位置決めのために、前記イヤーピースの外耳道軸に沿って延在し、前記外耳道部が第１端を有するイヤーピースハウジングと、
前記イヤーピースハウジング内の第１の入口を介して周囲の音を検出する第１のマイクロホンと、
第２のマイクロホンと、
前記イヤーピースが前記ユーザの耳内に挿入されると、前記外耳道に音声出力信号を提供するレシーバと、を備え、
前記第１のマイクロホンは、前記第１の入口から第１の距離に配置され、
前記第１の距離は、前記外耳道軸との間に３０°未満の第１の主角度を形成する主軸に対して平行な主平面法線を有する主平面に対して平行に測定した場合、少なくとも２ｍｍである、イヤーピース。
【請求項２】
前記主平面に対して平行に測定した場合、前記第１の入口の中心から、前記外耳道軸までの第１の入口距離は５ｍｍ未満である、請求項１に記載のイヤーピース。
【請求項３】
前記第１の距離は、前記第１の入口の中心から、前記第１のマイクロホンまで前記主平面に対して平行に測定される、請求項１または２に記載のイヤーピース。
【請求項４】
前記イヤーピースは、前記第１の入口から前記第１のマイクロホンへと音を導く第１の導音構造を有し、前記第１の導音構造は、前記主平面に対して平行、または２０°未満傾斜して延在する音声経路を形成する、請求項１から３のいずれか一項に記載のイヤーピース。
【請求項５】
前記第１の導音構造は入力開口部と出力開口部とを有し、前記第１の導音構造の前記入力開口部と前記出力開口部との間の距離は、前記主平面に対して平行に測定した場合、少なくとも３ｍｍである、請求項４に記載のイヤーピース。
【請求項６】
前記第１のマイクロホンの範囲と、前記第２のマイクロホンの範囲と、前記レシーバの範囲とは、前記主平面に投影した場合、重ならずに並べて配置される、請求項１から５のいずれか一項に記載のイヤーピース。
【請求項７】
前記第１のマイクロホンと前記第２のマイクロホンとの間の距離は、前記主平面に投影すると、少なくとも３ｍｍである、請求項１から６のいずれか一項に記載のイヤーピース。
【請求項８】
前記第１のマイクロホンと前記レシーバとの間の距離は、前記主平面に投影すると、少なくとも２ｍｍである、請求項１から７のいずれか一項に記載のイヤーピース。
【請求項９】
前記第１のマイクロホンは、第１の膜法線を有する第１の膜を有し、前記第１の膜法線は前記外耳道軸に対して、４５°未満の第１の主膜角度を形成する、請求項１から８のいずれか一項に記載のイヤーピース。
【請求項１０】
前記第２のマイクロホンは、第２の膜法線を有する第２の膜を有し、前記第２の膜法線は前記外耳道軸に対して、４５°から９０°の範囲内の第２の主膜角度を形成する、請求項１から９のいずれか一項に記載のイヤーピース。
【請求項１１】
前記イヤーピースは、レシーバ凹部と、マイクロホン凹部とを有し、前記レシーバ凹部と前記マイクロホン凹部とは、内壁により少なくとも部分的に分離し、前記イヤーピースはさらに前記マイクロホン凹部内に配置された充填材料を有する、請求項１から１０のいずれか一項に記載のイヤーピース。
【請求項１２】
前記イヤーピースは、発泡ポリマを含み、外耳道壁と前記外耳道部との間を密閉するように、前記外耳道部を囲繞する保護具を有する、請求項１から１１のいずれか一項に記載のイヤーピース。
【請求項１３】
前記第１のマイクロホンから前記外耳道軸までの距離は、前記主平面に対して平行に測定した場合、３ｍｍ超である、請求項１から１２のいずれか一項に記載のイヤーピース。
【請求項１４】
前記イヤーピースは、前記イヤーピースハウジングから導出または延在して、前記第１のマイクロホンと、前記第２のマイクロホンと、前記レシーバとを、前記補聴装置の処理部に接続するケーブルを有する、請求項１から１３のいずれか一項に記載のイヤーピース。
【請求項１５】
処理部と、請求項１から１４のいずれか一項に記載のイヤーピースとを備え、前記ケーブルが前記処理部と前記イヤーピースとを接続するように構成される、補聴装置。
【発明の詳細な説明】
【技術分野】
【０００１】
本開示は、補聴装置用、特に補聴保護具を有する補聴装置用のイヤーピースに関する。
【背景技術】
【０００２】
イヤーピースは、当該イヤーピースを介して音声信号がユーザに提供されるような様々な状況で使用される。さらに、イヤーピースはユーザに対して音声信号を提供し、さらに／あるいはユーザから音声信号を受信する通信システムにおいて使用される。
【０００３】
イヤーピースおよび外部装置を有する二部構造補聴装置では、通常、イヤーピースは外部装置にケーブルにより接続される。ケーブルは、１または複数の配線および／または音ガイド経路を有する。
【０００４】
通常、補聴装置用のイヤーピースは何時間も装着されるため、補聴装置ユーザにとって着け心地は非常に重要である。多くの補聴器の場合、イヤーピースは補聴装置ユーザに対して特別にフィッティグされるが、これはコストも手間もかかる。さらに、外部またはアンビエントマイクロホンの音の入口の位置が、補聴装置のための信号処理要求において重要となる。
【発明の概要】
【発明が解決しようとする課題】
【０００５】
したがって、着け心地に優れ、カスタマイズする必要のほとんどない、または全くない補聴装置用イヤーピースが求められている。
【課題を解決するための手段】
【０００６】
従って、本明細書では、補聴装置用イヤーピースが提供され、その補聴装置用イヤーピースは、外耳道部と、外耳部とを有し、前記外耳道部が、ユーザの外耳道内での位置決めのために、前記イヤーピースの外耳道軸に沿って延在し、前記外耳道部が第１端を有するイヤーピースハウジングと、任意選択的に、前記イヤーピースハウジング内の第１の入口を介して周囲の音を検出する第１のマイクロホンと、任意選択的に、例えば前記イヤーピースハウジング内の外耳道開口部を介して、外耳道の音を検出する、第２のマイクロホンと、前記イヤーピースが前記ユーザの耳内に挿入されると、例えば前記イヤーピースハウジング内の外耳道開口部を介して、前記外耳道に音声出力信号を提供するレシーバと、を備えている。前記第１のマイクロホンは、任意選択的に、前記第１の入口から第１の距離に配置される。前記第１の距離は、例えば、主軸に対して平行な主平面法線を有する主平面に対して平行に測定した場合、少なくとも２ｍｍである。前記主軸は、前記外耳道軸との間に３０°未満の第１の主角度を形成してもよい。
【０００７】
さらに、処理部と、本明細書に記載のイヤーピースとを備える補聴装置が提供される。イヤーピースは、処理部とイヤーピースとを接続した、または接続するように構成されたケーブルを有する。
【０００８】
本開示のイヤーピースおよび補聴装置は、ユーザの着け心地を向上する。さらに、イヤーピースはカスタマイズされたフィッティングの必要性を低減し、さらに／あるいはイヤーピースの小型化を実現する。さらに、本開示は２つのマイクロホンとレシーバを有するコンパクトなイヤーピースを提供する。
【０００９】
さらに、本開示のイヤーピースは、マイクロホン信号に対する複雑な処理の必要性を低減する。
【００１０】
補聴装置用イヤーピースは、外耳道部と、外耳部とを有し、前記外耳道部が、ユーザの外耳道内での位置決めのために、前記イヤーピースの外耳道軸に沿って延在し、前記外耳道部が第１端を有するイヤーピースハウジングと、前記イヤーピースハウジング内の第１の入口を介して周囲の音を検出する第１のマイクロホンと、第２のマイクロホンと、前記イヤーピースが前記ユーザの耳内に挿入されると、前記外耳道に音声出力信号を提供するレシーバと、を備える。前記第１のマイクロホンは、前記第１の入口から第１の距離に配置され、前記第１の距離は、前記外耳道軸との間に３０°未満の第１の主角度を形成する主軸に対して平行な主平面法線を有する主平面に対して平行に測定した場合、少なくとも２ｍｍである。
【００１１】
任意選択的に、前記主平面に対して平行に測定した場合、前記第１の入口の中心から、前記外耳道軸までの第１の入口距離は５ｍｍ未満である。
【００１２】
任意選択的に、前記第１の距離は、前記第１の入口の中心から、前記第１のマイクロホンまで前記主平面に対して平行に測定される。
【００１３】
任意選択的に、前記イヤーピースは、前記第１の入口から前記第１のマイクロホンへと音を導く第１の導音構造を有し、前記第１の導音構造は、前記主平面に対して平行、または２０°未満傾斜して延在する音声経路を形成する。
【００１４】
任意選択的に、前記第１の導音構造は入力開口部と出力開口部とを有し、前記第１の導音構造の前記入力開口部と前記出力開口部との間の距離は、前記主平面に対して平行に測定した場合、少なくとも３ｍｍである。
【００１５】
任意選択的に、前記第１のマイクロホンの範囲と、前記第２のマイクロホンの範囲と、前記レシーバの範囲とは、前記主平面に投影した場合、重ならずに並べて配置される。
【００１６】
任意選択的に、前記第１のマイクロホンと前記第２のマイクロホンとの間の距離は、前記主平面に投影すると、少なくとも３ｍｍである。
【００１７】
任意選択的に、前記第１のマイクロホンと前記レシーバとの間の距離は、前記主平面に投影すると、少なくとも２ｍｍである。
【００１８】
任意選択的に、前記第１のマイクロホンは、第１の膜法線を有する第１の膜を有し、前記第１の膜法線は前記外耳道軸に対して、４５°未満の第１の主膜角度を形成する。
【００１９】
任意選択的に、前記第２のマイクロホンは、第２の膜法線を有する第２の膜を有し、前記第２の膜法線は前記外耳道軸に対して、４５°から９０°の範囲内の第２の主膜角度を形成する。
【００２０】
任意選択的に、前記イヤーピースは、レシーバ凹部と、マイクロホン凹部とを有し、前記レシーバ凹部と前記マイクロホン凹部とは、内壁により少なくとも部分的に分離し、前記イヤーピースはさらに前記マイクロホン凹部内に配置された充填材料を有する。
【００２１】
任意選択的に、前記イヤーピースは、発泡ポリマを含み、外耳道壁と前記外耳道部との間を密閉するように、前記外耳道部を囲繞する保護具を有する。
【００２２】
任意選択的に、前記第１のマイクロホンから前記外耳道軸までの距離は、前記主平面に対して平行に測定した場合、３ｍｍ超である。
【００２３】
任意選択的に、前記イヤーピースは、前記レシーバの出口から前記外耳道部の前記第１端への音声経路を形成する。
【００２４】
任意選択的に、前記イヤーピースは、前記外耳道部の前記第１端から前記第２のマイクロホンへの音声経路を形成する。
【００２５】
任意選択的に、前記イヤーピースは、前記イヤーピースハウジングから導出または延在して、前記第１のマイクロホンと、前記第２のマイクロホンと、前記レシーバとを、前記補聴装置の処理部に接続するケーブルを有する。
【００２６】
任意選択的に、前記イヤーピースハウジングは、第１のシェル部と第２のシェル部とによる二部構造ハウジングであって、前記第１のシェル部は前記外耳道部と前記外耳部の一部を形成し、前記第２のシェル部は前記外耳部の他部を形成する。
【００２７】
前記イヤーピースは、上記の特徴のいずれか、又は上記の特徴のうちの任意の組み合わせを備えていてもよい。
【００２８】
補聴装置は、開示する実施形態のいずれかに記載の前記イヤーピースを備える。
【００２９】
補聴装置は、前記処理部と、開示する実施形態のいずれかに記載の前記イヤーピースとを備える。
【００３０】
本発明の上述および他の特徴および利点は、添付の図面を参照しつつ、以下の例示的な実施形態の詳細な記載によって当業者には容易に明らかになるだろう。
【図面の簡単な説明】
【００３１】
【図１】例示的補聴装置を概略的に示す図である。
【図２】例示的イヤーピースの第１視図である。
【図３】例示的イヤーピースの第１視図である。
【図４】例示的イヤーピースの第１視図である。
【図５】例示的イヤーピースの第２視図である。
【図６】イヤーピースハウジングのシェル部を概略的に示す。
【図７】例示的イヤーピースの分解図である。
【図８】例示的イヤーピースの第３視図である。
【図９】例示的イヤーピースの概略的断面図である。
【図１０】例示的イヤーピースの概略的断面図である。
【図１１】例示的イヤーピースの第４視図である。
【図１２】例示的イヤーピースの第５視図である。
【図１３】例示的イヤーピースの第６視図である。
【発明を実施するための形態】
【００３２】
図面を参照しながら、各種例示的実施形態と詳細を以下で説明する。図面は、縮尺に沿って描かれていても、そうでなくてもよく、また、図面の全体を通して、同様の構造または機能の要素は同じ参照符号によって示されていることに留意すべきである。また、図面は実施形態の説明を容易にすることを意図するものに過ぎないことに留意すべきである。図面は、特許請求の範囲に記載された発明の包括的な説明としても、または特許請求の範囲に記載された発明の技術的範囲に対する制限としても意図されていない。加えて、図示した実施形態は、示されるすべての態様または利点を有する必要はない。特定の実施形態とともに記載される態様または利点は必ずしも、その実施形態に限定されず、示されていなかったり、または明示的に説明されていなくても、任意の他の実施形態で実施可能である。
【００３３】
本開示は、補聴装置と、補聴装置用のイヤーピースに関する。補聴装置は、補聴器またはヒアラブルであってもよい。
【００３４】
補聴装置は、耳かけ（ＢＴＥ）型、または耳挿入レシーバ（ＲＩＴＥ）型であってもよい。補聴器は両耳用補聴器であってもよい。補聴装置は、第１イヤーピースと第２イヤーピースとを含み、この第１イヤーピースおよび／または第２イヤーピースが本明細書に開示のイヤーピースであってもよい。補聴装置／イヤーピースは補聴保護具であってもよい。補聴保護具は、第１イヤーピースと第２イヤーピースとを含み、この第１イヤーピースおよび／または第２イヤーピースが本明細書に開示のイヤーピースであってもよい。補聴保護具は処理部を有してもよい。
【００３５】
イヤーピースは、イヤーピースハウジングを有する。イヤーピースハウジングは耳甲介または外耳道内等、ユーザの耳内に配置されるように構成されてもよい。イヤーピースハウジングは外耳道部と、外耳部とを有する。外耳道部は外耳道軸に沿って延在し、第１端を有する。イヤーピースがユーザの耳内に挿入されると、外耳道部の第１端がユーザの鼓膜を向いてもよい。外耳道開口部が、外耳道部の第１端に配置されてもよい。外耳道開口部は、イヤーピースハウジングに対する音の出入を可能とするものである。例えばレシーバ音とマイクロホン音とを分けるために、複数の外耳道開口部がイヤーピースハウジング内に設けられてもよい。イヤーピースの（１または複数の）外耳道開口部の直径は、０．５ｍｍから３ｍｍの範囲内であってもよい。別の外耳道開口部の直径はこれと同じであっても異なっていてもよい。
【００３６】
イヤーピースハウジングは、第１の入口を含む１または複数の入口を有する。（１または複数の）入口は、例えばイヤーピースが外耳道内に配置された際に、周囲の音を第１のマイクロホンを含む１または複数のマイクロホンで検出されるように、イヤーピースハウジングに入ることを可能とする。第１の入口の直径は、０．５ｍｍから３ｍｍの範囲内であってもよい。第１の入口（中心）から外耳道軸への第１の入口距離（ｄ＿ｉｎｐｕｔ１とも称する）は、３ｍｍ未満等、５ｍｍ未満であってもよい（外耳道軸に対して垂直に測定）。メッシュまたは格子構造が第１の入口を覆い、第１の入口を多数の第１の入口開口部に分割してもよい。１または複数の例示的イヤーピースにおいて、距離ｄ＿ｉｎｐｕｔ１は１ｍｍ未満である。１または複数の例示的イヤーピースにおいて、距離ｄ＿ｉｎｐｕｔ１はゼロである。即ち、第１の入口の中心が外耳道軸上に存在する。第１の入口は外耳道軸に一致してもよい。外耳道軸近傍の第１の入口により、第１のマイクロホンからの第１のマイクロホン信号の後処理の必要性を低減する。例えば、（１または複数の）頭部伝達関数（ＨＲＴＦ）が判定、および／または適用されることが避けられる。さらに、陰影効果が低減され、空間キューが維持される。
【００３７】
外耳道部は、外径が１ｍｍから４ｍｍの範囲内であってもよい（外耳道軸に対して垂直に測定）。外耳道部は第１端の第１の外径が１ｍｍから３ｍｍの範囲内であってもよい。外耳道部の外径は、外耳道軸に沿って変化してもよい。これにより例えば、保護具または外耳道アダプターが取り付けやすくなる。
【００３８】
好ましくは、外耳道部は少なくとも、第１端（外耳道開口部）から例えばイヤーピース内に配置されたレシーバ（ラウドスピーカ）および／またはマイクロホンへの（１または複数の）音声経路の第１の音声経路部を形成する。第１の音声経路部は、直径が０．５ｍｍから５ｍｍの範囲内であってもよい。第１の音声経路部は、直径（外耳道部の内径）が外耳道軸に沿って変化してもよい。例えば、第１の音声経路部は、例えばフィルタ要素を収容するため外耳道部の第１端で直径が大きくなってもよい。第１の音声経路部は、直径が０．５ｍｍから５ｍｍの範囲内であってもよい。
【００３９】
外耳道部は長さが２ｍｍから２０ｍｍの範囲内であってもよい（外耳道軸に沿って測定）。１または複数の例示的イヤーピースにおいて、外耳道部は長さが３ｍｍから１５ｍｍの範囲内である。したがって、ユーザの外耳道壁を利用して、イヤーピースを外耳道内に固定、さらに／あるいは外耳道内で外耳道を封止できる。
【００４０】
外耳部は、副軸に沿って延在する第１端および第２端を有する。副軸は、例えば主平面と平行にまたは主平面内で延在する外耳部の長手軸であってもよい。任意で、外耳部は長さ（第１端から第２端までの広がり）が、好ましくは３ｍｍから３０ｍｍの範囲内である。外耳部の長さは１０ｍｍから２０ｍｍの範囲内であってもよい。これにより、例えば耳甲介内での配置と同時にイヤーピース構成要素用の十分な空間の確保が実現される。
【００４１】
外耳部は高さが３ｍｍから２０ｍｍの範囲内であってもよい。外耳部の高さは、７ｍｍから１３ｍｍの範囲内であってもよい。これにより、例えば耳甲介内での配置と同時にイヤーピース構成要素用の十分な空間の確保が実現される。
【００４２】
任意で、イヤーピースは外耳部に第１端が接続されたケーブルを有する。ケーブルはケーブル導出軸に沿って外耳部から導出される。ケーブルは、例えば第１のマイクロホン、第２のマイクロホン、および／またはレシーバのようなイヤーピースハウジング構成要素を補聴装置の処理部に接続するために、イヤーピースハウジングから導出されてもよい。ケーブルは、レシーバ（ラウドスピーカ）や１または複数のマイクロホンのようなイヤーピースの構成要素をそれぞれ補聴装置の処理部に電気的に接続するための１または複数の配線を含んでもよい。
【００４３】
イヤーピースハウジングは、任意で外耳部内に配置されたケーブルポートを有してもよい。イヤーピースは、外耳部内のケーブルポート内でケーブルを支持するように構成されたケーブル支持部を有してもよい。
【００４４】
イヤーピースは、任意で少なくとも一部が外耳部内に配置された第１のマイクロホンおよび／または第２のマイクロホン等の、イヤーピースハウジング内に配置された１または複数のマイクロホンを有する。第１のマイクロホン（アンビエントマイクロホンとも称する）は、周辺環境からの周囲の音や音声を受信／検出するように構成されてもよい。第１のマイクロホンと第１の入口との間の第１の距離は、少なくとも４ｍｍ等、少なくとも２ｍｍであってもよい。１または複数の例示的イヤーピースにおいて、第１の距離は、約５ｍｍ、６ｍｍ、または７ｍｍ超、例えば７ｍｍから１０ｍｍの範囲内であってもよい（外耳道軸との間に３０°未満の第１の主角度を形成する主軸に平行な法線を有する主平面に対して平行に測定した場合）。
【００４５】
第２のマイクロホンは、例えば外耳道の音または音声を、イヤーピースハウジング内の外耳道開口部を介して検出する外耳道マイクロホンであってもよい。したがって、第２のマイクロホンは外耳道から、例えば外耳道部内の外耳道開口部を介して音声を受信するように構成されてもよい。第２のマイクロホンは、骨伝導マイクロホンとして動作するように構成されてもよい。
【００４６】
イヤーピースは、例えばイヤーピースがユーザの耳内に挿入されると、外耳道に音声出力信号を提供するレシーバを有してもよい。レシーバは、外耳道部内の外耳道開口部を介して、または外耳道部内の出口を介して、音声出力を提供してもよい。イヤーピースは、イヤーピース内でレシーバを支持する、および／または吊るすためのレシーバハウジング（レシーバサスペンションとも称する）を有してもよい。レシーバハウジングはシリコーン等のエラストマー材料製であってもよい。レシーバハウジングは、レシーバから、外耳道部内の第１の音声経路部内等、外耳道部へ、音を導く注音孔を有してもよい。レシーバハウジングは、レシーバ凹部の内面に接触することで、レシーバハウジングをレシーバ凹部内に支持するための１または複数の突起を有してもよい。
【００４７】
第１のマイクロホンおよび第２のマイクロホンが共通平面内に配置されてもよい。第１のマイクロホンおよびレシーバが共通平面内に配置されてもよい。第２のマイクロホンおよびレシーバが共通平面内に配置されてもよい。第１のマイクロホン、第２のマイクロホン、およびレシーバが共通平面内に配置されてもよい。「共通平面に配置される」という表現は、少なくとも２つの構成要素の一部に交差するまたはそれを含む平面が存在するという意味で解釈されたい。
【００４８】
１または複数の例示的イヤーピースにおいて、主軸は外耳道軸と、４５°未満の第１の主角度（α＿１とも称する）を成す。第１の主角度は、３０°未満さらには１５°未満であってもよい。主平面は、外耳道軸に対して垂直であってもよい。１または複数の例示的イヤーピースにおいて、第１の主角度は１０°等、５°から１５°の範囲内である。
【００４９】
第１の入口の中心から外耳道軸までの第１の入口距離は５ｍｍ未満であってもよい（例えば、主平面に対して平行に測定した場合）。１または複数の例示的イヤーピースにおいて、第１の入口の中心から外耳道軸への第１の入口距離は３ｍｍ未満、さらには２ｍｍ未満である。
【００５０】
１または複数の例示的イヤーピースにおいて、第１の入口の中心から第１のマイクロホンへの距離は少なくとも４ｍｍまたは少なくとも６ｍｍ等、少なくとも２ｍｍである（主平面に対して平行に測定した場合）。
【００５１】
１または複数の例示的イヤーピースにおいて、イヤーピースは第１の入口から第１のマイクロホンへ音を導くための第１の導音構造を有する。第１の導音構造は、主平面に対して平行または２０°未満傾斜して延在する音声経路を形成してもよい。第１の導音構造は、例えば第１の導音構造の主導音要素内に、入力開口部を有し、例えば第１の導音構造の副導音要素内に出力開口部を有してもよい。第１の導音構造の入力開口部と出力開口部との間の距離は、少なくとも６ｍ等、少なくとも３ｍｍであってもよい（主平面に対して平行に測定した場合）。
【００５２】
１または複数の例示的イヤーピースにおいて、第１のマイクロホンと、第２のマイクロホンおよびレシーバの一方または両方は、主平面に投影された状態では重ならずに並べて配置される。１または複数の例示的イヤーピースにおいて、第１のマイクロホン、第２のマイクロホン、およびレシーバは、主平面に投影された状態では重ならずに並べて配置される。
【００５３】
主平面に投影された状態の第１のマイクロホンと第２のマイクロホンとの距離は、少なくとも６ｍｍ等、少なくとも３ｍｍであってもよい。
【００５４】
主平面に投影された状態の第１のマイクロホンとレシーバの距離は、少なくとも２ｍｍ等、少なくとも１ｍｍであってもよい。主平面に投影された状態の第１のマイクロホンとレシーバの距離は、少なくとも２．５ｍｍ、３ｍｍ、さらには少なくとも３．５ｍｍであってもよい。
【００５５】
第１のマイクロホンは、外耳道軸との間に４５°未満の第１の主膜角度を形成する第１の膜法線を有する第１の膜を備えてもよい。
【００５６】
第２のマイクロホンは、外耳道軸との間に４５°から９０°の範囲内の第２の主膜角度を形成する第２の膜法線を有する第２の膜を備えてもよい。
【００５７】
第１のマイクロホンから外耳道軸までの距離は、３ｍｍ超であってもよい（主平面に対して平行に測定した場合）。
【００５８】
イヤーピースは、レシーバの出口から外耳道部の第１端（外耳道開口部が存在）までの音声経路を形成してもよい。
【００５９】
イヤーピースは、外耳道部の第１端（外耳道開口部が存在）から第２のマイクロホンまでの音声経路を形成してもよい。
【００６０】
イヤーピースは、第１のマイクロホンと、第２のマイクロホンと、レシーバとを補聴装置の処理部に接続するためにイヤーピースハウジングから導出されるケーブルを有してもよい。
【００６１】
イヤーピースハウジングは、第１のシェル部および第２のシェル部を有する二部構造ハウジングであってもよい。第１のシェル部は、外耳道部と、外耳部の一部とを形成してもよい。第２のシェル部は、外耳部の一部を形成してもよい。
【００６２】
第１のマイクロホンは、（一部または全部が）外耳部内に配置されてもよい。第２のマイクロホンは、（一部または全部が）外耳部内に配置されてもよい。レシーバは、（一部または全部が）外耳部内に配置されてもよい。１または複数の例示的イヤーピースにおいて、第１のマイクロホンと、第２のマイクロホンと、レシーバとが外耳部内に配置される。
【００６３】
イヤーピースは、補聴保護具であってもよい。したがって、イヤーピースは、（ユーザの外耳道内に挿入される場合に）例えば外耳道壁と外耳道部との間の密閉を実現する保護具を有してもよい。保護具は、発泡ポリマにより形成されてもよいし、発泡ポリマを含んでもよい。保護具は、外耳道部を囲繞するように形成されてもよい。
【００６４】
イヤーピースは、任意でレシーバ凹部、および／またはマイクロホン凹部を含む１または複数の凹部を有してもよい。レシーバ、および／またはレシーバハウジングがレシーバ凹部内に配置または収容されてもよい。第１のマイクロホン、および／または第２のマイクロホンがマイクロホン凹部内に配置されてもよい。１または複数の例示的イヤーピースにおいて、第２のマイクロホンがレシーバ凹部内に配置される。イヤーピースハウジングは、レシーバ凹部、および／またはマイクロホン凹部の少なくとも一部を形成または画定する内壁を有してもよい。イヤーピースは、イヤーピースのレシーバ凹部を密閉する、さらに／あるいはレシーバ凹部とマイクロホン凹部とを分離する蓋要素を有してもよい。蓋要素は、レシーバ凹部の一部を画定または形成してもよい。レシーバ凹部と、マイクロホン凹部とは、内壁により少なくとも部分的に分離されてもよい。
【００６５】
イヤーピースは、マイクロホン凹部等のイヤーピースの１または複数の凹部を少なくとも部分的または完全に充填する充填材料を有してもよい。充填材料がマイクロホン凹部を部分的または完全に充填することで、例えば、マイクロホン凹部内の空気容積が、マイクロホン凹部の容積に対して、２０％未満さらには１０％未満等、５０％未満となる。１または複数の例示的イヤーピースにおいて、マイクロホン凹部内の空気容量は、マイクロホン凹部の容量の２％未満である。マイクロホン凹部内の空気容量を少なくすることにより、イヤーピースの機械的強度が増し、さらに／あるいはイヤーピースハウジング内の周辺音の伝達を低減するまたは防止する内部保護要素としての機能が実現される。充填材料はエポキシであってもよい。充填材料はシリコーン等、１または複数のエラストマーを含んでもよい。
【００６６】
第１のマイクロホンは、外耳道軸から距離を置いて配置されてもよい（外耳道軸に対して垂直、または主平面に対して平行に測定した場合）。第１のマイクロホンは、第１の入口から距離を置いて配置されてもよい（主平面に対して平行に測定した場合）。したがって、第１の入口が外耳道の入口近傍に配置可能なコンパクトなイヤーピースが実現される。これにより、陰影効果、および／または第１のマイクロホンへの入力信号に対する複雑な後処理の必要性が低減される。
【００６７】
イヤーピースは、第１の入口から第１のマイクロホンへと音を導くための第１の導音構造を有してもよい。第１の導音構造は任意で、主平面と平行な方向に、第１の入口から第１のマイクロホンへと音を導くように構成されてもよい。第１の導音構造は、主導音要素および／または副導音要素を有してもよい。主導音要素は、主平面に対して平行でも、主平面に対して若干傾斜（１５°未満）してもよい。副導音要素は、主平面に対して平行でも、主平面に対して若干傾斜（１５°未満）してもよい。副導音要素は、第１のマイクロホンが搭載または一体化されたプリント回路基板であってもよい。例えば主導音要素である第１の導音構造は、第１の導音構造の音声経路内に音または音声を供給するための入力開口部を有してもよい。例えば副導音要素である第１の導音構造は、第１の導音構造の音声経路から音または音声を第１のマイクロホンに供給するための出力開口部を有してもよい。第１の導音構造の音声経路は、主平面に平行に延在してもよい。
【００６８】
主導音要素の入力開口部と、副導音要素の出力開口部との間の距離は、少なくとも３ｍｍであってもよい（例えば、主平面と平行に、または副軸の方向に沿って測定）。言い換えると、第１の導音構造の音声経路の長さは、少なくとも６ｍｍ等、少なくとも３ｍｍであってもよい。
【００６９】
イヤーピースは、レシーバの出口から外耳道部の第１端までの音声経路を形成してもよい。
【００７０】
イヤーピースは、外耳道部の第１端から第２のマイクロホンまでの音声経路を形成してもよい。
【００７１】
イヤーピースハウジングは、第１のシェル部と第２のシェル部とを有する二部構造ハウジングであってもよい。第１のシェル部は、外耳道部と外耳部の一部を形成してもよい。第２のシェル部は外耳部の一部を形成してもよい。
【００７２】
第１のシェル部と、第２のシェル部とは、接合線を形成する第１および第２の縁にそれぞれ沿って組付けられてもよい。接合線は、接合面法線を有する接合面内の少なくとも一部（例えば７０％超等、５０％超）に延在してもよい。外耳道軸と接合面法線との間の第１の接合角度は、５°から２５°の範囲内、例えば約１０°等、４５°未満であってもよい。主平面と接合面との間の第２の接合角度は、２０°未満であってもよい。第２の接合角度を小さく設定することで、イヤーピースの製造が容易になる。第１の入口は第２のシェル部内に配置されてもよい。接合面は、主平面と平行であってもよい。即ち、第２の接合角度はゼロ度であってもよい。あるいは、接合面は主平面に対して若干傾斜（例えば２０°未満）してもよい。
【００７３】
第１のマイクロホンは、外耳道軸との間に第１の主膜角度を形成する第１の膜法線を有する第１の膜を備えてもよい。第１の膜角度は、５から２５°の間、例えば１０°等、４５°未満であってもよい。第１の膜は、主平面に対して平行でもよいし、主平面に対して若干傾斜（１５°未満）してもよい。第１の膜法線は、主軸に対して平行でもよいし、主軸との間に４５°未満の第１の副膜角度を形成してもよい。第１の副膜角度は、１５°未満であってもよい。第１の膜法線は、主軸に対して垂直であってもよいし、主軸に対して４５°超の第１の副膜角度を形成するものであってもよい。第１の副膜角度は、７５°から１０５°の範囲内であってもよい。
【００７４】
第２のマイクロホンは、外耳道軸との間に、約７５°から８０°等、４５°から９０°の範囲内の第２の主膜角度を形成する第２の膜法線を有する第２の膜を備えてもよい。第２の膜は、第１のマイクロホンの第１の膜に対して垂直でもよいし、第１のマイクロホンの第１の膜との間に６０°から９０°の間のマイクロホン角度を形成してもよい。第２の膜は、主平面に対して垂直であってもよいし、あるいは主平面との間に６０°から９０°の間の角度を形成してもよい。第２の膜法線は、主軸に対して垂直であってもよいし、あるいは主軸との間に６０°から９０°の間の第２の副膜角度を形成してもよい。第２の副膜角度は、４５°未満であってもよい。
【００７５】
第１のマイクロホンとレシーバとは、副軸に沿って互いに離間してもよい。即ち、副軸に沿って重複していなくてもよい。言い換えると、第１のマイクロホンはレシーバから副軸に沿って距離を置いて配置されてもよい。第１のマイクロホンとレシーバとの間の副軸に沿った距離は、２ｍｍ超等、１ｍｍ超であってもよい。
【００７６】
第１のマイクロホン、第２のマイクロホン、レシーバを主平面に投影した状態、即ち主軸方向視において、第１のマイクロホンはレシーバから離間してもよい。第２のマイクロホンは第１のマイクロホンから離間してもよい。第２のマイクロホンはレシーバから離間してもよい。言い換えると、第１のマイクロホンとレシーバとは、主軸方向視において重ならずに並べて配置されてもよい。第１のマイクロホンと第２のマイクロホンとは、主軸方向視において重ならずに並べて配置されてもよい。第２のマイクロホンとレシーバとは、主軸方向視において重ならずに並べて配置されてもよい。第１のマイクロホンと第２のマイクロホンとの間の距離は、主平面に対して平行に測定した場合において、少なくとも６ｍｍ等、少なくとも３ｍｍであってもよい。
【００７７】
図１は、例示的補聴装置を示す。補聴装置２は、イヤーピース４と処理部５とを備える。イヤーピース４は、イヤーピースハウジング６とケーブル８とを備える。ケーブル８は、その第１端１０がイヤーピースハウジング６に接続され、第２端１２が補聴装置２の処理部５に接続される、または接続可能である。
【００７８】
図２は、イヤーピース４の第１視図である。イヤーピース４はイヤーピースハウジング６を備える。イヤーピースハウジング６は、外耳道部１４と、外耳部１６とを備える。外耳道部１４は、外耳道平面に直交する外耳道軸Ｘ＿１に沿って延在する。外耳道部１４は第１端１８を有し、外耳部１６は第１端２０と第２端２２とを有して副軸Ｘ＿２に沿って延在する。イヤーピース４はケーブル８を備え、ケーブル８は第１端１０が外耳部１６に接続される。ケーブル８は、ケーブル導出軸Ｘ＿３に沿って外耳部１６から導出される。主平面は、主軸Ｘに対して垂直である。主軸と、外耳道軸との間の第１の主角度α＿１は、１０°である。
【００７９】
図３は、イヤーピース４の第１視図である。ケーブル導出軸Ｘ＿３は、主軸との間に第１の導出角度（α＿ｅｘｉｔ＿１とも称する）を成す。任意で、第１の導出角度α＿ｅｘｉｔ＿１は２０°から６０°の範囲内であって、例えば約４０°である。
【００８０】
図４は、イヤーピース４の第１視図である。副軸Ｘ＿２は、外耳道軸Ｘ＿１に対して第１副角度β＿１を成す。第１副角度β＿１は任意で７５°から８５°の範囲内であり、例えば８０°である。９０°未満の第１副角度、例えば、副軸に対して若干（例えば、５から１５°）傾いた外耳道平面により、耳甲介内の利用可能スペースを利用するイヤーピースが実現可能となる。
【００８１】
図５は、外耳道軸方向視による、イヤーピース４の第２視図である。第１の音孔２４は、外耳道部の第１端１８に配置されている。音声経路は第１の音孔と、レシーバの出力とを接続する。音声経路は第１の音孔と、第２のマイクロホンの入力とを接続する。外耳道部における第１の音声経路部は、第１端（外耳道開口部）からレシーバ（ラウドスピーカ）および第２のマイクロホンへの音声経路の共通部分を形成する。イヤーピースの第１の音孔（外耳道開口部）２４は、（最大）直径約３．０ｍｍの円形または楕円形断面を有し、外耳道軸に一致する。副軸Ｘ＿２は、外耳道平面において投影副軸Ｘ＿２＿ｐｒｏとして投影される。導出軸Ｘ＿３は、外耳道平面において導出軸Ｘ＿３＿ｐｒｏとして投影される。投影副軸Ｘ＿２＿ｐｒｏと投影導出軸Ｘ＿３＿ｐｒｏとの間の角度（α＿３とも称する）は、２５°から６０°の範囲内であってもよく、例えば約４８°である。
【００８２】
副軸は、外耳道軸との間に第１の副角度（β＿１とも称する）を形成してもよい。第１の副角度は任意で、７５から８５°等、４５から９０°の範囲内である。１または複数の例示的イヤーピースにおいて、第１の副角度は約８０°である。９０°未満の第１の副角度、例えば副軸に対して若干（例えば５°から１５°）傾いた外耳道平面により、耳甲介内の利用可能スペースを利用するイヤーピースが実現可能となる。
【００８３】
外耳道平面における投影導出軸Ｘ＿３＿ｐｒｏと外耳道軸Ｘ＿１との間の距離Ｄ＿ｅｘｉｔは、約１０ｍｍ等、２ｍｍから２０ｍｍの範囲内であってもよい。したがって、第１の導出軸が外耳道軸からずれるまたは離間するので、例えば外耳道軸の近傍に、または外耳道軸に一致して第１の入口を配置できる。
【００８４】
図６は、イヤーピースハウジング６の第１のシェル部２６と第２のシェル部２８とを示す。第１のシェル部２６は外耳道部１４と、外耳部１６の一部とを形成する。第２のシェル部２８は、外耳部１６の一部を形成する。第１のシェル部２６と、第２のシェル部２８とは、接合線を形成する第１および第２の縁２９Ａおよび２９Ｂにそれぞれ沿って組付けられる。接合線は、接合面法線を有する接合面内に延在する。副軸と接合面法線との間の第１の接合角度は任意で、７５°から１０５°の範囲内である。外耳道軸と接合面法線との間の第２の接合角度は、５°から２５°の範囲内である。第２のシェル部２８は、第１のマイクロホンにより検出されるように、周囲の音がイヤーピースハウジング内に入ることを可能とする第１の入口３２を外耳部内に有する。第１の入口３２は円形で、直径が約２．０ｍｍである。イヤーピースハウジング６は、レシーバ凹部３１Ａおよびマイクロホン凹部３１Ｂを少なくとも一部形成または画定する内壁３１を有する。内壁は第１のシェル部２６内に形成される。
【００８５】
図７は、イヤーピース４の分解図である。イヤーピース４は、第１のマイクロホン３４と、第１の導音構造とを有する。第１のマイクロホン３４は外耳部内に配置され、外耳部内の第１の入口３２を介して周辺から音声を受信するように構成される。第１の導音構造は、主導音要素３５Ａと副導音要素３５Ｂとを有する。導音構造は、主導音要素３５Ａの入力開口部３５Ｃと、副導音要素３５Ｂの出力開口部３５Ｄとの間の音声経路またはチャネルを形成する。イヤーピース４は、第２のマイクロホン３６（外耳道マイクロホンとも称する）を有する。第２のマイクロホン３６は、少なくとも一部外耳部内に配置され、外耳道部の第１端における第１の音孔２４を介して、外耳道から音声を受信するように構成される。イヤーピース４は、組立状態で、レシーバハウジング４０内に配置されるレシーバ３８（ラウドスピーカ）を有する。レシーバ３８とレシーバハウジング４０とは、組立状態で、内壁３１と蓋要素４１とにより形成されたレシーバ凹部３１Ｂ内に配置される。レシーバ３８は音を生成し、その音はレシーバハウジング４０の注音孔４０Ａを介して送信され、イヤーピースハウジング（外耳道部）内の音声経路を通じて外耳部から外耳道部の第１端における第１の音孔２４に送られる。内壁３１と、蓋要素４１とにより、マイクロホン凹部３１Ａとレシーバ凹部３１Ｂとが分離される。
【００８６】
第１の入口３２（中心）は、外耳道軸から２ｍｍ内にあるので、陰影効果が抑えられたより現実に近い入力信号が第１のマイクロホンにより検出されるため、第１のマイクロホンからの第１のマイクロホン信号に対する複雑な処理の必要性が低減される。イヤーピース４は任意で、プリント回路基板４２を有する。イヤーピース４の任意のケーブル支持部４４が、外耳部１６のケーブルポート４６内のケーブル８を支持するように構成される。イヤーピース４は任意で、第１の入口３２から異物が侵入するのを防ぐフィルタ要素４８を有する。任意のカバー要素４９は、第１のシェル部内の充填用開口部（不図示）を覆ってもよい。充填用開口部は、第１のシェル部２６および第２のシェル部２８が組付けられた後、マイクロホン凹部３１Ａに充填材料を充填するために使用される。
【００８７】
イヤーピース４は、外耳道壁と外耳道部１４との間の密閉を実現するための保護具５０を有する。保護具は発泡ポリマを含み、外耳道部を囲繞するように構成される。保護具５０の代わりに、外耳道アダプターを設けてもよい。外耳道アダプターは、通気孔を有してもよい。
【００８８】
図８は、イヤーピース４の第３視図である。イヤーピースハウジング６の第１のシェル部２６および第２のシェル部２８は、主平面に平行な接合面において延在（８０％超）する接合線３０に沿って組付けられる。任意で、イヤーピース４は風騒音をフィルタリングするための、イヤーピースハウジング６の外耳部に取り付けられるフィルタ要素５２を有する。
【００８９】
図９は、主軸Ｘと外耳道軸Ｘ＿１が通過する平面に沿った、イヤーピース４の概略断面図である。
【００９０】
第１のマイクロホン３４は、第１の膜法線を有する第１の膜を有する。第１の膜法線７０は、主軸Ｘと平行であるため、外耳道軸との間に４５°未満の第１の膜角度を形成する。
【００９１】
縁２９Ａおよび２９Ｂに沿った接合線３０により、接合面が形成される。任意で、接合面は第１の膜法線に対して垂直になる、即ち、第１のマイクロホン３４の第１の膜が接合面に対して平行になる。第１のマイクロホン３４は、第１の入口（中心）から第１の距離Ｄ＿１に配置される。第１の距離Ｄ＿１は、少なくとも２ｍｍであり、例えば約５ｍｍである（主平面内で測定）。主軸Ｘと外耳道軸Ｘ＿１との間の第１の主角度は１０°である。主導音要素３５Ａおよび副導音要素３５Ｂにより形成された音声経路／チャネルは、長さが４ｍｍ超、例えば約６．５ｍｍである（入力開口部３５Ｃと出力開口部３５Ｄとの中心間距離として主平面に対して平行に測定した場合）。第１のマイクロホンは、外耳道軸Ｘ＿１から６ｍｍ等の少なくとも３ｍｍの距離に配置される（主平面内で、副軸に沿って測定）。
【００９２】
外耳道部１４は、第１端（外耳道開口部）から、例えばイヤーピース内に配置されたレシーバ（ラウドスピーカ）および／またはマイクロホンへの（１または複数の）音声経路の少なくとも第１の音声経路部５４を形成する。第１の音声経路部は直径が０．５ｍｍから３ｍｍの範囲内である。第１の音声経路部は、主音声経路部５６と副音声経路部５８（図１０参照）とに分かれる。主音声経路部５６はレシーバ出力を第１の音孔２４に伝え、副音声経路部５８は外耳道からの音声を第２のマイクロホンに伝える。
【００９３】
図１０は、副軸Ｘ＿２に対して垂直な副平面に沿ったイヤーピース４の概略的断面図である。第２のマイクロホン３６は、第２の膜法線を有する第２の膜を有する。第２の膜法線は、外耳道軸との間に、７０°から８５°の範囲等の、４５°から９０°の範囲内の第２の膜角度を形成する。第２のマイクロホン３６は、第１の音声経路部５４と副音声経路部５８とを介して、第１の音孔２４と連通される。
【００９４】
図１１は、少なくとも第１のシェル部２６を外したイヤーピース４の、主軸Ｘ方向視による、第４視図である。同図は、イヤーピース内におけるレシーバとマイクロホンの位置を示す。第１のマイクロホン３４と第２のマイクロホン３６とは、重ならずに並べて配置されている。第１のマイクロホン３４およびレシーバ３８（レシーバハウジング４０内に配置）は、重ならずに並べて配置される。第２のマイクロホン３６およびレシーバ３８（レシーバハウジング４０内に配置）は、重ならずに並べて配置される。第１のマイクロホンと第２のマイクロホンとの間の距離Ｄ＿２は、主平面に投影すると少なくとも３ｍｍ、例えば５ｍｍ超である。第１のマイクロホンとレシーバとの間の距離Ｄ＿３は、主平面に投影すると少なくとも２ｍｍである。蓋要素４１と、主導音要素（不図示）と、副導音要素３５Ｂとは、主平面に対して平行である。主導音要素と副導音要素は、主平面に対して平行に延在する音声経路を形成する。副導音要素３５Ｂは、プリント回路基板であって、任意で蓋要素４１に接着される。
【００９５】
図１２は、少なくとも第１のシェル部２６を外したイヤーピース４の、斜視図たる第５視図である。レシーバ３８は、レシーバハウジング４０内に配置され、外耳道部内の第１の音孔に向けて、レシーバハウジング４０の注音孔４０Ａを介して音または音声を提供する。
【００９６】
図１３は、少なくとも第２のシェル部２８と主導音要素３５Ａとを外したイヤーピース４の斜視図たる、第６視図である。内壁３１と蓋要素とにより、レシーバとレシーバハウジングとを収容するレシーバ凹部が形成される。第１のシェル部２６と第２のシェル部との組付け後、エポキシまたはシリコーン等の充填材料により、イヤーピースのマイクロホン凹部３１Ａが充填できるように、第１のシェル部２６には充填口７２が形成されている。内壁３１と蓋要素４１とにより、充填材料（不図示）がレシーバ凹部内に流れ込まないことが保証されるので、十分な空気容積のレシーバ凹部内に確実に空気が充満し、レシーバ凹部内に配置されたレシーバが正しく機能できるようになる。
【００９７】
さらに、以下の付記のいずれかに記載のイヤーピースおよび補聴装置が開示される。
【００９８】
項目１
補聴装置用イヤーピースであって、
外耳道部と、外耳部とを有し、前記外耳道部が、ユーザの外耳道内での位置決めのために、前記イヤーピースの外耳道軸に沿って延在し、前記外耳道部が第１端を有するイヤーピースハウジングと、
前記イヤーピースハウジング内の第１の入口を介して周囲の音を検出する第１のマイクロホンと、
第２のマイクロホンと、
前記イヤーピースが前記ユーザの耳内に挿入されると、前記外耳道に音声出力信号を提供するレシーバと、を備え、
前記第１のマイクロホンは、前記第１の入口から第１の距離に配置され、
前記第１の距離は、前記外耳道軸との間に３０°未満の第１の主角度を形成する主軸に対して平行な主平面法線を有する主平面に対して平行に測定した場合、少なくとも２ｍｍである、イヤーピース。
【００９９】
項目２
前記主平面に対して平行に測定した場合、前記第１の入口の中心から、前記外耳道軸までの第１の入口距離は５ｍｍ未満である、項目１に記載のイヤーピース。
【０１００】
項目３
前記第１の距離は、前記第１の入口の中心から、前記第１のマイクロホンまで前記主平面に対して平行に測定される、項目１または２に記載のイヤーピース。
【０１０１】
項目４
前記イヤーピースは、前記第１の入口から前記第１のマイクロホンへと音を導く第１の導音構造を有し、前記第１の導音構造は、前記主平面に対して平行、または２０°未満傾斜して延在する音声経路を形成する、項目１から３のいずれか一項に記載のイヤーピース。
【０１０２】
項目５
前記第１の導音構造は入力開口部と出力開口部とを有し、前記第１の導音構造の前記入力開口部と前記出力開口部との間の距離は、前記主平面に対して平行に測定した場合、少なくとも３ｍｍである、項目４に記載のイヤーピース。
【０１０３】
項目６
前記第１のマイクロホンの範囲と、前記第２のマイクロホンの範囲と、前記レシーバの範囲とは、前記主平面に投影した場合、重ならずに並べて配置される、項目１から５のいずれか一項に記載のイヤーピース。
【０１０４】
項目７
前記第１のマイクロホンと前記第２のマイクロホンとの間の距離は、前記主平面に投影すると、少なくとも３ｍｍである、項目１から６のいずれか一項に記載のイヤーピース。
【０１０５】
項目８
前記第１のマイクロホンと前記レシーバとの間の距離は、前記主平面に投影すると、少なくとも２ｍｍである、項目１から７のいずれか一項に記載のイヤーピース。
【０１０６】
項目９
前記第１のマイクロホンは、第１の膜法線を有する第１の膜を有し、前記第１の膜法線は前記外耳道軸に対して、４５°未満の第１の主膜角度を形成する、項目１から８のいずれか一項に記載のイヤーピース。
【０１０７】
項目１０
前記第２のマイクロホンは、第２の膜法線を有する第２の膜を有し、前記第２の膜法線は前記外耳道軸に対して、４５°から９０°の範囲内の第２の主膜角度を形成する、項目１から９のいずれか一項に記載のイヤーピース。
【０１０８】
項目１１
前記イヤーピースは、レシーバ凹部と、マイクロホン凹部とを有し、前記レシーバ凹部と前記マイクロホン凹部とは、内壁により少なくとも部分的に分離し、前記イヤーピースはさらに前記マイクロホン凹部内に配置された充填材料を有する、項目１から１０のいずれか一項に記載のイヤーピース。
【０１０９】
項目１２
前記イヤーピースは、発泡ポリマを含み、外耳道壁と前記外耳道部との間を密閉するように、前記外耳道部を囲繞する保護具を有する、項目１から１１のいずれか一項に記載のイヤーピース。
【０１１０】
項目１３
前記第１のマイクロホンから前記外耳道軸までの距離は、前記主平面に対して平行に測定した場合、３ｍｍ超である、項目１から１２のいずれか一項に記載のイヤーピース。
【０１１１】
項目１４
前記イヤーピースは、前記レシーバの出口から前記外耳道部の前記第１端への音声経路を形成する、項目１から１３のいずれか一項に記載のイヤーピース。
【０１１２】
項目１５
前記イヤーピースは、前記外耳道部の前記第１端から前記第２のマイクロホンへの音声経路を形成する、項目１から１４のいずれか一項に記載のイヤーピース。
【０１１３】
項目１６
前記イヤーピースは、前記イヤーピースハウジングから導出または延在して、前記第１のマイクロホンと、前記第２のマイクロホンと、前記レシーバとを、前記補聴装置の処理部に接続するケーブルを有する、項目１から１５のいずれか一項に記載のイヤーピース。
【０１１４】
項目１７
前記イヤーピースハウジングは、第１のシェル部と第２のシェル部とによる二部構造ハウジングであって、前記第１のシェル部は前記外耳道部と前記外耳部の一部を形成し、前記第２のシェル部は前記外耳部の他部を形成する、項目１から１６のいずれか一項に記載のイヤーピース。
【０１１５】
項目１８
項目１から１７のいずれか一項に記載のイヤーピースを備える補聴装置。
【０１１６】
項目１９
処理部と、項目１から項目１７（項目１６に従属する）のいずれか一項に記載のイヤーピースとを備え、前記ケーブルが前記処理部と前記イヤーピースとを接続するように構成される、補聴装置。
【０１１７】
本明細書で使用される「第１の」、「第２の」、「第３の」、「第４の」等の用語は、何らかの順序を示すものではなく、各要素の特定に使用されている。さらに、本明細書で使用される第１の、第２の等の用語は、何らかの順序や重要性を示すものではない。本明細書で使用される第１の、第２の等の用語は、要素同士の区別に用いられている。本明細書および他部で使用される第１の、第２のという用語は、あくまで参照符号として付されるものであって、別途規定のない限り特定の空間的、時間的順序を示すものではない。さらに、第１の要素、第２の要素と称されたということで、必ずしも他方の存在が示唆されているとは限らない。
【０１１８】
なお、本明細書に記載の用語「距離」（即ち、第１の物品から第２の物品までの「距離」）は、第１の点と第２の点との間の長さまたは空間の量を示すものであってもよい。第１の点は第１の物品上／内にあってもよく、第１の物品から離間して、第１の物品に対応付けられてもよい。（例えば、第１の点は、第１の物品から延在する投影線上に存在してもよい）。同様に、第２の点は第２の物品上／内にあってもよく、第２の物品から離間して、第２の物品に対応付けられてもよい。（例えば、第２の点は、第２の物品から延在する投影線上に存在してもよい）。例えば、「第１の入口から第１の距離の第１のマイクロホン」という表現における「距離」は、（１）第１のマイクロホン上（例えば第１のマイクロホンの縁）の点、第１のマイクロホン内（例えば、第１のマイクロホン内の中心または中間点）の点、または第１のマイクロホンの任意の点から延在する投影線上の点から、（２）第１の入口の縁、第１の入口内の点（例えば第１の入口の中心）、または第１のマイクロホンの任意の点から延在する投影線上の点まで測定された距離を示すものであってもよい。
【０１１９】
特徴を示し、記載してきたが、これらの特徴は、特許請求の範囲に記載された発明を限定することを意図していないことが理解され、特許請求の範囲に記載された発明の精神および範囲から逸脱することなく種々の変更および改変が行われてもよいことが当業者に明らかになるだろう。したがって、明細書および図面は、限定するという観点ではなく、実例であると考えるべきである。特許請求の範囲に記載された発明は、全ての代替例、改変および均等物を包含することを意図している。
【符号の説明】
【０１２０】
２  補聴装置
４  イヤーピース
５  処理部
６  イヤーピースハウジング
８  ケーブル
１０  ケーブルの第１端
１２  ケーブルの第２端
１４  外耳道部
１６  外耳部
１８  外耳道部の第１端
２０  外耳部の第１端
２２  外耳部の第２端
２４  第１の音孔
２６  イヤーピースハウジングの第１のシェル部
２８  イヤーピースハウジングの第２のシェル部
２９Ａ  第１の縁
２９Ｂ  第２の縁
３０  接合線
３１  内壁
３１Ａ  マイクロホン凹部
３１Ｂ  レシーバ凹部
３２  第１の入口
３４  第１のマイクロホン
３５Ａ  主導音要素
３５Ｂ  副導音要素
３５Ｃ  主導音要素の入力開口部
３５Ｄ  副導音要素の出力開口部
３６  第２のマイクロホン
３８  レシーバ
４０  レシーバハウジング
４０Ａ  注音孔
４１  蓋要素
４２  プリント回路基板
４４  ケーブル支持部
４６  ケーブルポート
４８  フィルタ要素
４９  カバー要素
５０  保護具
５２  フィルタ要素
５４  第１の音声経路部
５６  主音声経路部
５８  副音声経路部
７０  第１の膜法線
７２  充填口
Ｘ  主軸
Ｘ＿１  外耳道軸
Ｘ＿２  副軸
Ｘ＿２＿ｐｒｏ  投影副軸
Ｘ＿３  ケーブル導出軸
Ｘ＿３＿ｐｒｏ  投影導出軸
α＿１  第１の主角度
α＿ｅｘｉｔ＿１  第１の導出角度
α＿３  投影副軸と投影導出軸との間の角度
β＿１  第１の副角度
Ｄ＿１  主平面における第１のマイクロホンと第１の入口との間の第１の距離
Ｄ＿２  主平面における第１のマイクロホンと第２のマイクロホンとの間の距離
Ｄ＿３  主平面における第１のマイクロホンとレシーバとの間の距離
Ｄ＿ｅｘｉｔ  投影導出軸と外耳道軸との間の距離
【図１】
2019062523.tif 000003
【図２】
2019062523.tif 000004
【図３】
2019062523.tif 000005
【図４】
2019062523.tif 000006
【図５】
2019062523.tif 000007
【図６】
2019062523.tif 000008
【図７】
2019062523.tif 000009
【図８】
2019062523.tif 000010
【図９】
2019062523.tif 000011
【図１０】
2019062523.tif 000012
【図１１】
2019062523.tif 000013
【図１２】
2019062523.tif 000014
【図１３】
2019062523.tif 000015
【外国語明細書】
2019062523000001.pdf
2019062523000002.pdf
2019062523000003.pdf
2019062523000004.pdf